【手続補正書】
【提出日】平成27年9月10日(2015.9.10)
【手続補正１】
【補正対象書類名】特許請求の範囲
【補正対象項目名】全文
【補正方法】変更
【補正の内容】
【特許請求の範囲】
【請求項１】
ユーザがアイテム情報をユーザが閲覧した度合いを示す閲覧率を算出し、ユーザまたはユーザの使用する端末装置である利用主体と、アイテム情報との組み合せに対応させて、２つ以上の閲覧率を集計した閲覧率集計値を算出する閲覧率集計値算出部と、
一の利用主体に対して提供されるアイテム情報の推薦度合いを示す推薦値が高いほど、かつ、前記一の利用主体とアイテム情報との組み合せに対応する前記閲覧率集計値が低いほど、高い値となる優先度を算出し、前記優先度に基づいて前記一の利用主体に対して提供されるアイテム情報の順位を決定する順位決定部と、
を備え、
前記閲覧率集計値算出部は、前記順位決定部で決定された、前記一の利用主体に対応する一のアイテム情報の順位に基づいて、前記一の利用主体と前記一のアイテム情報との組み合せに対応する前記閲覧率を算出する、
ことを特徴とする情報処理装置。
【請求項２】
ユーザまたはユーザの使用する端末装置である利用主体を識別する情報と、端末装置に表示されたアイテム情報を識別する情報とを含む表示履歴を、端末装置から受信する表示履歴受信部と、
所定のタイミングごとに、前記受信した表示履歴のうちの未処理の表示履歴、または表示履歴に係る時期が所定条件を満たす表示履歴を対象にして、ユーザがアイテム情報を閲覧した度合いを示す閲覧率を表示履歴ごとに算出し、利用主体とアイテム情報との組み合せに対応させて、２つ以上の閲覧率を集計した閲覧率集計値を算出する閲覧率集計値算出部と、
一の利用主体に対して提供されるアイテム情報の推薦度合いを示す推薦値が高いほど、かつ、前記一の利用主体とアイテム情報との組み合せに対応する前記閲覧率集計値が低いほど、高い値となる優先度を算出し、前記優先度に基づいて前記一の利用主体に対して提供されるアイテム情報の順位を決定する順位決定部と、
を備えることを特徴とする情報処理装置。
【請求項３】
前記順位決定部は、アイテム情報に対して、前記推薦値の高い順に推薦順位を付与し、前記推薦順位が高いほど、かつ、前記閲覧率集計値が低いほど、その値が高くなるように前記優先度を算出する、
ことを特徴とする請求項１または請求項２に記載の情報処理装置。
【請求項４】
前記順位決定部は、前記推薦値が所定値以上のアイテム情報、または、前記推薦値が高い順に所定数を超えない数のアイテム情報を選択し、前記選択されたアイテム情報に対して前記優先度を算出する、
ことを特徴とする請求項１〜３のいずれか１項に記載の情報処理装置。
【請求項５】
ユーザがアイテム情報をユーザが閲覧した度合いを示す閲覧率を算出し、ユーザまたはユーザの使用する端末装置である利用主体と、アイテム情報との組み合せに対応させて、２つ以上の閲覧率を集計した、アイテムの優先付けに用いることができる閲覧率集計値を算出する閲覧率集計値算出部と、
一の利用主体に係る端末装置においてアイテム情報が表示された場合に、一のアイテム情報の表示に係る順位を取得する表示順位取得部と、
を備え
前記閲覧率集計値算出部は、前記表示順位取得部で取得された、前記一の利用主体に対応する一のアイテム情報の表示に係る順位に基づいて、前記一の利用主体と前記一のアイテム情報との組み合せに対応する前記閲覧率を算出する、
ことを特徴とする情報処理装置。
【請求項６】
前記閲覧率集計値算出部は、前記一の利用主体に対して前記一のアイテム情報が提供または表示されるページの種類と、前記一の利用主体に対応する前記一のアイテム情報の順位とに基づいて、前記一の利用主体と前記一のアイテム情報との組み合せに対応する前記閲覧率を算出する、
ことを特徴とする請求項１、または、請求項３〜請求項５のいずれか１項に記載の情報処理装置。
【請求項７】
前記閲覧率集計値算出部は、前記一の利用主体に対して前記一のアイテム情報が提供または表示されるページの種類に基づいて、前記一の利用主体と前記一のアイテム情報との組み合せに対応する前記閲覧率を算出する、
ことを特徴とする請求項２に記載の情報処理装置。
【請求項８】
前記閲覧率集計値算出部は、前記順位が高いほど、その値が高くなるように前記閲覧率を算出する、または、前記順位が低くなるに従い、２以上の所定の数の順位ごとに、その値が低くなるように前記閲覧率を算出する、
ことを特徴とする請求項１、または、請求項３〜請求項５のいずれか１項に記載の情報処理装置。
【請求項９】
前記閲覧率集計値算出部は、前記閲覧値を所定値として算出する
ことを特徴とする請求項２に記載の情報処理装置。
【請求項１０】
前記順位決定部で決定された順位に基づいて、前記一の利用主体に係る端末装置においてアイテム情報が表示される確率である表示確率を推定する表示確率推定部を更に備え、
前記閲覧率集計値算出部は、前記表示確率算出部で推定された、前記一の利用主体に対応する前記一のアイテム情報の表示確率に基づいて、前記一の利用主体と前記一のアイテム情報との組み合せに対応する前記閲覧率を算出する、
ことを特徴とする請求項１〜請求項４のいずれか１項に記載の情報処理装置。
【請求項１１】
前記順位決定部で決定された順位に基づいて、前記一の利用主体に係る端末装置において表示される表示順位を推定する表示順位推定部を更に備え、
前記閲覧率集計値算出部は、前記表示順位推定部で推定された、前記一の利用主体に対応する前記一のアイテム情報の順位に基づいて、前記一の利用主体と前記一のアイテム情報との組み合せに対応する前記閲覧率を算出する、
ことを特徴とする請求項１〜請求項４のいずれか１項に記載の情報処理装置。
【請求項１２】
前記閲覧率集計値算出部は、２つ以上の前記閲覧率の総和を前記閲覧率集計値とする、
ことを特徴とする請求項１〜請求項１１のいずれか１項に記載の情報処理装置。
【請求項１３】
前記閲覧率集計値算出部は、２つ以上の前記閲覧率の平均値と、前記閲覧率の個数とを用いて、前記閲覧率集計値を算出する、
ことを特徴とする請求項１〜請求項１１のいずれか１項に記載の情報処理装置。
【請求項１４】
前記閲覧率集計値算出部は、前記平均値と、前記閲覧率の個数を基数とし、０より大きい所定値を指数とする累乗値との乗算値を用いて、前記閲覧率集計値を算出する、
ことを特徴とする請求項１３に記載の情報処理装置。
【請求項１５】
前記閲覧率集計値算出部は、前記一の利用主体に対して前記一のアイテム情報が表示または提供された時点が所定の期間に該当する前記閲覧率を用いて、前記閲覧率集計値を算出する、
ことを特徴とする請求項１〜請求項１４のいずれか１項に記載の情報処理装置。
【請求項１６】
前記閲覧率集計値算出部は、前記一の利用主体に対して前記一のアイテム情報が表示または提供されたページの種類が所定条件を満たす場合に、それに該当する前記閲覧率を用いて、前記閲覧率集計値を算出する、
ことを特徴とする請求項１〜請求項１５のいずれか１項に記載の情報処理装置。
【請求項１７】
前記閲覧率集計値算出部は、所定のタイミングごとに、前記閲覧率を算出する、
ことを特徴とする請求項１〜請求項１６のいずれか１項に記載の情報処理装置。
【請求項１８】
アイテム情報を提供する情報処理装置と通信可能な端末装置であって、
端末装置または端末装置を利用するユーザが一の利用主体であることを示す情報を含み、アイテム情報を要求する取得要求データを前記情報処理装置に送信する送信部と、
前記情報処理装置から、前記取得要求データに対応する、アイテム情報とその順位との組み合せを複数受信する受信部と、
前記受信した順位に基づいて表示確率が定められた確率モデルを用いて、前記受信した複数のアイテム情報の内から表示するアイテム情報を選択する表示アイテム選択部と
を備えることを特徴とする端末装置。
【請求項１９】
アイテム情報を提供する情報処理装置と通信可能な端末装置であって、
端末装置または端末装置を利用するユーザが一の利用主体であることを示す情報を含み、アイテム情報を要求する取得要求データを前記情報処理装置に送信する送信部と、
前記情報処理装置から、前記取得要求データに対応する、アイテム情報とその順位との組み合せを複数受信する受信部と、
前記受信したアイテム情報が、特定の表示順位となる確率が定められた確率モデルを用いて、前記受信した複数のアイテム情報それぞれに対して表示順位を算出する表示順位算出部と
を備えることを特徴とする端末装置。
【請求項２０】
アイテム情報を提供する情報処理装置と通信可能な端末装置であって、
端末装置または端末装置を利用するユーザが一の利用主体であることを示す情報を含み、アイテム情報を要求する取得要求データを前記情報処理装置に送信する送信部と、
前記情報処理装置から、前記取得要求データに対応する、アイテム情報を複数受信する受信部と、
前記受信した複数のアイテムそれぞれについて、表示順位を算出する表示順位算出部と、
を備え、
前記送信部は、前記算出された表示順位と、前記受信したアイテムを識別する情報とを含む表示履歴データを前記情報処理装置に送信する、
ことを特徴とする端末装置。
【請求項２１】
アイテム情報を提供する情報処理装置と通信可能な端末装置であって、
端末装置または端末装置を利用するユーザが一の利用主体であることを示す情報を含み、アイテム情報を要求する取得要求データを前記情報処理装置に送信する送信部と、
前記情報処理装置から、前記取得要求データに対応する、アイテム情報とその順位との組み合せを複数受信する受信部と、
前記受信した複数のアイテムそれぞれについて、表示順位を算出する表示順位算出部と、
前記受信したアイテム情報と、前記受信した順位と、前記算出した表示順位とを対応させて表示装置に表示させる制御部と
を備えることを特徴とする端末装置。
【請求項２２】
ユーザがアイテム情報をユーザが閲覧した度合いを示す閲覧率を算出し、ユーザまたはユーザの使用する端末装置である利用主体と、アイテム情報との組み合せに対応させて、２つ以上の閲覧率を集計した閲覧率集計値を算出する閲覧率集計値算出ステップと、
一の利用主体に対して提供されるアイテム情報の推薦度合いを示す推薦値が高いほど、かつ、前記一の利用主体とアイテム情報との組み合せに対応する前記閲覧率集計値が低いほど、高い値となる優先度を算出し、前記優先度に基づいて前記一の利用主体に対して提供されるアイテム情報の順位を決定する順位決定ステップと、
を有し、
前記閲覧率集計値算出ステップは、前記順位決定部で決定された、前記一の利用主体に対応する一のアイテム情報の順位に基づいて、前記一の利用主体と前記一のアイテム情報との組み合せに対応する前記閲覧率を算出する、
ことを特徴とする情報処理方法。
【請求項２３】
ユーザまたはユーザの使用する端末装置である利用主体を識別する情報と、端末装置に表示されたアイテム情報を識別する情報とを含む表示履歴を、端末装置から受信する表示履歴受信ステップと、
所定のタイミングごとに、前記受信した表示履歴のうちの未処理の表示履歴、または表示履歴に係る時期が所定条件を満たす表示履歴を対象にして、ユーザがアイテム情報を閲覧した度合いを示す閲覧率を表示履歴ごとに算出し、利用主体とアイテム情報との組み合せに対応させて、２つ以上の閲覧率を集計した閲覧率集計値を算出する閲覧率集計値算出ステップと、
一の利用主体に対して提供されるアイテム情報の推薦度合いを示す推薦値が高いほど、かつ、前記一の利用主体とアイテム情報との組み合せに対応する前記閲覧率集計値が低いほど、高い値となる優先度を算出し、前記優先度に基づいて前記一の利用主体に対して提供されるアイテム情報の順位を決定する順位決定ステップと、
を備えることを特徴とする情報処理方法。
【請求項２４】
ユーザがアイテム情報をユーザが閲覧した度合いを示す閲覧率を算出し、ユーザまたはユーザの使用する端末装置である利用主体と、アイテム情報との組み合せに対応させて、２つ以上の閲覧率を集計した、アイテムの優先付けに用いることができる閲覧率集計値を算出する閲覧率集計値算出ステップと、
一の利用主体に係る端末装置においてアイテム情報が表示された場合に、一のアイテム情報の表示に係る順位を取得する表示順位取得ステップと、
を有し、
前記閲覧率集計値算出ステップは、前記表示順位取得ステップで取得された、前記一の利用主体に対応する一のアイテム情報の順位に基づいて、前記一の利用主体と前記一のアイテム情報との組み合せに対応する前記閲覧率を算出する、
ことを特徴とする情報処理方法。
【請求項２５】
アイテム情報を提供する情報処理装置と通信可能な端末装置における情報処理方法であって、
端末装置または端末装置を利用するユーザが一の利用主体であることを示す情報を含み、アイテム情報を要求する取得要求データを前記情報処理装置に送信する送信ステップと、
前記情報処理装置から、前記取得要求データに対応する、アイテム情報とその順位との組み合せを複数受信する受信ステップと、
前記受信した順位に基づいて表示確率が定められた確率モデルを用いて、前記受信した複数のアイテム情報の内から表示するアイテム情報を選択する表示アイテム選択ステップと
を有することを特徴とする情報処理方法。
【請求項２６】
アイテム情報を提供する情報処理装置と通信可能な端末装置における情報処理方法であって、
端末装置または端末装置を利用するユーザが一の利用主体であることを示す情報を含み、アイテム情報を要求する取得要求データを前記情報処理装置に送信する送信ステップと、
前記情報処理装置から、前記取得要求データに対応する、アイテム情報とその順位との組み合せを複数受信する受信ステップと、
前記受信したアイテム情報が、特定の表示順位となる確率が定められた確率モデルを用いて、前記受信した複数のアイテム情報それぞれに対して表示順位を算出する表示順位算出ステップと
を有することを特徴とする情報処理方法。
【請求項２７】
アイテム情報を提供する情報処理装置と通信可能な端末装置における情報処理方法であって、
端末装置または端末装置を利用するユーザが一の利用主体であることを示す情報を含み、アイテム情報を要求する取得要求データを前記情報処理装置に送信する送信ステップと、
前記情報処理装置から、前記取得要求データに対応する、アイテム情報を複数受信する受信ステップと、
前記受信した複数のアイテムそれぞれについて、表示順位を算出する表示順位算出ステップと、
を有し、
前記送信ステップは、前記算出された表示順位と、前記受信したアイテムを識別する情報とを含む表示履歴データを前記情報処理装置に送信する、
ことを特徴とする情報処理方法。
【請求項２８】
アイテム情報を提供する情報処理装置と通信可能な端末装置における情報処理方法であって、
端末装置または端末装置を利用するユーザが一の利用主体であることを示す情報を含み、アイテム情報を要求する取得要求データを前記情報処理装置に送信する送信ステップと、
前記情報処理装置から、前記取得要求データに対応する、アイテム情報とその順位との組み合せを複数受信する受信ステップと、
前記受信した複数のアイテムそれぞれについて、表示順位を算出する表示順位算出ステップと、
前記受信したアイテム情報と、前記受信した順位と、前記算出した表示順位とを対応させて表示装置に表示させる制御ステップと
を有することを特徴とする情報処理方法。
【請求項２９】
ユーザがアイテム情報をユーザが閲覧した度合いを示す閲覧率を算出し、ユーザまたはユーザの使用する端末装置である利用主体と、アイテム情報との組み合せに対応させて、２つ以上の閲覧率を集計した閲覧率集計値を算出する閲覧率集計値算出ステップと、
一の利用主体に対して提供されるアイテム情報の推薦度合いを示す推薦値が高いほど、かつ、前記一の利用主体とアイテム情報との組み合せに対応する前記閲覧率集計値が低いほど、高い値となる優先度を算出し、前記優先度に基づいて前記一の利用主体に対して提供されるアイテム情報の順位を決定する順位決定ステップと、
をコンピュータに実行させ、
前記閲覧率集計値算出ステップは、前記順位決定部で決定された、前記一の利用主体に対応する一のアイテム情報の順位に基づいて、前記一の利用主体と前記一のアイテム情報との組み合せに対応する前記閲覧率を算出する、
ことを特徴とする情報処理プログラム。
【請求項３０】
ユーザまたはユーザの使用する端末装置である利用主体を識別する情報と、端末装置に表示されたアイテム情報を識別する情報とを含む表示履歴を、端末装置から受信する表示履歴受信ステップと、
所定のタイミングごとに、前記受信した表示履歴のうちの未処理の表示履歴、または表示履歴に係る時期が所定条件を満たす表示履歴を対象にして、ユーザがアイテム情報を閲覧した度合いを示す閲覧率を表示履歴ごとに算出し、利用主体とアイテム情報との組み合せに対応させて、２つ以上の閲覧率を集計した閲覧率集計値を算出する閲覧率集計値算出ステップと、
一の利用主体に対して提供されるアイテム情報の推薦度合いを示す推薦値が高いほど、かつ、前記一の利用主体とアイテム情報との組み合せに対応する前記閲覧率集計値が低いほど、高い値となる優先度を算出し、前記優先度に基づいて前記一の利用主体に対して提供されるアイテム情報の順位を決定する順位決定ステップと、
をコンピュータに実行させることを特徴とする情報処理プログラム。
【請求項３１】
ユーザがアイテム情報をユーザが閲覧した度合いを示す閲覧率を算出し、ユーザまたはユーザの使用する端末装置である利用主体と、アイテム情報との組み合せに対応させて、２つ以上の閲覧率を集計した、アイテムの優先付けに用いることができる閲覧率集計値を算出する閲覧率集計値算出ステップと、
一の利用主体に係る端末装置においてアイテム情報が表示された場合に、一のアイテム情報の表示に係る順位を取得する表示順位取得ステップと、
をコンピュータに実行させ、
前記閲覧率集計値算出ステップは、前記表示順位取得ステップで取得された、前記一の利用主体に対応する一のアイテム情報の順位に基づいて、前記一の利用主体と前記一のアイテム情報との組み合せに対応する前記閲覧率を算出する、
ことを特徴とする情報処理プログラム。
【請求項３２】
アイテム情報を提供する情報処理装置と通信可能な端末装置のコンピュータに実行させる情報処理プログラムであって、
端末装置または端末装置を利用するユーザが一の利用主体であることを示す情報を含み、アイテム情報を要求する取得要求データを前記情報処理装置に送信する送信ステップと、
前記情報処理装置から、前記取得要求データに対応する、アイテム情報とその順位との組み合せを複数受信する受信ステップと、
前記受信した順位に基づいて表示確率が定められた確率モデルを用いて、前記受信した複数のアイテム情報の内から表示するアイテム情報を選択する表示アイテム選択ステップと
をコンピュータに実行させることを特徴とする情報処理プログラム。
【請求項３３】
アイテム情報を提供する情報処理装置と通信可能な端末装置のコンピュータに実行させる情報処理プログラムであって、
端末装置または端末装置を利用するユーザが一の利用主体であることを示す情報を含み、アイテム情報を要求する取得要求データを前記情報処理装置に送信する送信ステップと、
前記情報処理装置から、前記取得要求データに対応する、アイテム情報とその順位との組み合せを複数受信する受信ステップと、
前記受信したアイテム情報が、特定の表示順位となる確率が定められた確率モデルを用いて、前記受信した複数のアイテム情報それぞれに対して表示順位を算出する表示順位算出ステップと
をコンピュータに実行させることを特徴とする情報処理プログラム。
【請求項３４】
アイテム情報を提供する情報処理装置と通信可能な端末装置のコンピュータに実行させる情報処理プログラムであって、
端末装置または端末装置を利用するユーザが一の利用主体であることを示す情報を含み、アイテム情報を要求する取得要求データを前記情報処理装置に送信する送信ステップと、
前記情報処理装置から、前記取得要求データに対応する、アイテム情報を複数受信する受信ステップと、
前記受信した複数のアイテムそれぞれについて、表示順位を算出する表示順位算出ステップと、
をコンピュータに実行させ、
前記送信ステップは、前記算出された表示順位と、前記受信したアイテムを識別する情報とを含む表示履歴データを前記情報処理装置に送信する、
ことを特徴とする情報処理プログラム。
【請求項３５】
アイテム情報を提供する情報処理装置と通信可能な端末装置のコンピュータに実行させる情報処理プログラムであって、
端末装置または端末装置を利用するユーザが一の利用主体であることを示す情報を含み、アイテム情報を要求する取得要求データを前記情報処理装置に送信する送信ステップと、
前記情報処理装置から、前記取得要求データに対応する、アイテム情報とその順位との組み合せを複数受信する受信ステップと、
前記受信した複数のアイテムそれぞれについて、表示順位を算出する表示順位算出ステップと、
前記受信したアイテム情報と、前記受信した順位と、前記算出した表示順位とを対応させて表示装置に表示させる制御ステップと
をコンピュータに実行させることを特徴とする情報処理プログラム。
【手続補正２】
【補正対象書類名】明細書
【補正対象項目名】０００９
【補正方法】変更
【補正の内容】
【０００９】
ユーザがアイテム情報をユーザが閲覧した度合いを示す閲覧率を算出し、ユーザまたはユーザの使用する端末装置である利用主体と、アイテム情報との組み合せに対応させて、２つ以上の閲覧率を集計した閲覧率集計値を算出する閲覧率集計値算出部と、一の利用主体に対して提供されるアイテム情報の推薦度合いを示す推薦値が高いほど、かつ、前記一の利用主体とアイテム情報との組み合せに対応する前記閲覧率集計値が低いほど、高い値となる優先度を算出し、前記優先度に基づいて前記一の利用主体に対して提供されるアイテム情報の順位を決定する順位決定部とを備え、前記閲覧率集計値算出部は、前記順位決定部で決定された、前記一の利用主体に対応する一のアイテム情報の順位に基づいて、前記一の利用主体と前記一のアイテム情報との組み合せに対応する前記閲覧率を算出する、
ことを特徴とする情報処理装置を提供する。
ユーザまたはユーザの使用する端末装置である利用主体を識別する情報と、端末装置に表示されたアイテム情報を識別する情報とを含む表示履歴を、端末装置から受信する表示履歴受信部と、所定のタイミングごとに、前記受信した表示履歴のうちの未処理の表示履歴、または表示履歴に係る時期が所定条件を満たす表示履歴を対象にして、ユーザがアイテム情報を閲覧した度合いを示す閲覧率を表示履歴ごとに算出し、利用主体とアイテム情報との組み合せに対応させて、２つ以上の閲覧率を集計した閲覧率集計値を算出する閲覧率集計値算出部と、一の利用主体に対して提供されるアイテム情報の推薦度合いを示す推薦値が高いほど、かつ、前記一の利用主体とアイテム情報との組み合せに対応する前記閲覧率集計値が低いほど、高い値となる優先度を算出し、前記優先度に基づいて前記一の利用主体に対して提供されるアイテム情報の順位を決定する順位決定部とを備えることを特徴とする情報処理装置を提供する。
ユーザがアイテム情報をユーザが閲覧した度合いを示す閲覧率を算出し、ユーザまたはユーザの使用する端末装置である利用主体と、アイテム情報との組み合せに対応させて、２つ以上の閲覧率を集計した、アイテムの優先付けに用いることができる閲覧率集計値を算出する閲覧率集計値算出部と、一の利用主体に係る端末装置においてアイテム情報が表示された場合に、一のアイテム情報の表示に係る順位を取得する表示順位取得部とを備え、前記閲覧率集計値算出部は、前記表示順位取得部で取得された、前記一の利用主体に対応する一のアイテム情報の表示に係る順位に基づいて、前記一の利用主体と前記一のアイテム情報との組み合せに対応する前記閲覧率を算出することを特徴とする情報処理装置を提供する。
アイテム情報を提供する情報処理装置と通信可能な端末装置であって、端末装置または端末装置を利用するユーザが一の利用主体であることを示す情報を含み、アイテム情報を要求する取得要求データを前記情報処理装置に送信する送信部と、前記情報処理装置から、前記取得要求データに対応する、アイテム情報とその順位との組み合せを複数受信する受信部と、前記受信した順位に基づいて表示確率が定められた確率モデルを用いて、前記受信した複数のアイテム情報の内から表示するアイテム情報を選択する表示アイテム選択部とを備えることを特徴とする端末装置を提供する。
アイテム情報を提供する情報処理装置と通信可能な端末装置であって、端末装置または端末装置を利用するユーザが一の利用主体であることを示す情報を含み、アイテム情報を要求する取得要求データを前記情報処理装置に送信する送信部と、前記情報処理装置から、前記取得要求データに対応する、アイテム情報とその順位との組み合せを複数受信する受信部と、前記受信したアイテム情報が、特定の表示順位となる確率が定められた確率モデルを用いて、前記受信した複数のアイテム情報それぞれに対して表示順位を算出する表示順位算出部とを備えることを特徴とする端末装置を提供する。
アイテム情報を提供する情報処理装置と通信可能な端末装置であって、端末装置または端末装置を利用するユーザが一の利用主体であることを示す情報を含み、アイテム情報を要求する取得要求データを前記情報処理装置に送信する送信部と、前記情報処理装置から、前記取得要求データに対応する、アイテム情報を複数受信する受信部と、前記受信した複数のアイテムそれぞれについて、表示順位を算出する表示順位算出部とを備え、前記送信部は、前記算出された表示順位と、前記受信したアイテムを識別する情報とを含む表示履歴データを前記情報処理装置に送信することを特徴とする端末装置を提供する。
アイテム情報を提供する情報処理装置と通信可能な端末装置であって、端末装置または端末装置を利用するユーザが一の利用主体であることを示す情報を含み、アイテム情報を要求する取得要求データを前記情報処理装置に送信する送信部と、前記情報処理装置から、前記取得要求データに対応する、アイテム情報とその順位との組み合せを複数受信する受信部と、前記受信した複数のアイテムそれぞれについて、表示順位を算出する表示順位算出部と、前記受信したアイテム情報と、前記受信した順位と、前記算出した表示順位とを対応させて表示装置に表示させる制御部とを備えることを特徴とする端末装置を提供する。
ユーザがアイテム情報をユーザが閲覧した度合いを示す閲覧率を算出し、ユーザまたはユーザの使用する端末装置である利用主体と、アイテム情報との組み合せに対応させて、２つ以上の閲覧率を集計した閲覧率集計値を算出する閲覧率集計値算出ステップと、一の利用主体に対して提供されるアイテム情報の推薦度合いを示す推薦値が高いほど、かつ、前記一の利用主体とアイテム情報との組み合せに対応する前記閲覧率集計値が低いほど、高い値となる優先度を算出し、前記優先度に基づいて前記一の利用主体に対して提供されるアイテム情報の順位を決定する順位決定ステップとを有し、前記閲覧率集計値算出ステップは、前記順位決定部で決定された、前記一の利用主体に対応する一のアイテム情報の順位に基づいて、前記一の利用主体と前記一のアイテム情報との組み合せに対応する前記閲覧率を算出することを特徴とする情報処理方法を提供する。
ユーザまたはユーザの使用する端末装置である利用主体を識別する情報と、端末装置に表示されたアイテム情報を識別する情報とを含む表示履歴を、端末装置から受信する表示履歴受信ステップと、所定のタイミングごとに、前記受信した表示履歴のうちの未処理の表示履歴、または表示履歴に係る時期が所定条件を満たす表示履歴を対象にして、ユーザがアイテム情報を閲覧した度合いを示す閲覧率を表示履歴ごとに算出し、利用主体とアイテム情報との組み合せに対応させて、２つ以上の閲覧率を集計した閲覧率集計値を算出する閲覧率集計値算出ステップと、一の利用主体に対して提供されるアイテム情報の推薦度合いを示す推薦値が高いほど、かつ、前記一の利用主体とアイテム情報との組み合せに対応する前記閲覧率集計値が低いほど、高い値となる優先度を算出し、前記優先度に基づいて前記一の利用主体に対して提供されるアイテム情報の順位を決定する順位決定ステップとを備えることを特徴とする情報処理方法を提供する。
ユーザがアイテム情報をユーザが閲覧した度合いを示す閲覧率を算出し、ユーザまたはユーザの使用する端末装置である利用主体と、アイテム情報との組み合せに対応させて、２つ以上の閲覧率を集計した、アイテムの優先付けに用いることができる閲覧率集計値を算出する閲覧率集計値算出ステップと、一の利用主体に係る端末装置においてアイテム情報が表示された場合に、一のアイテム情報の表示に係る順位を取得する表示順位取得ステップとを有し、前記閲覧率集計値算出ステップは、前記表示順位取得ステップで取得された、前記一の利用主体に対応する一のアイテム情報の順位に基づいて、前記一の利用主体と前記一のアイテム情報との組み合せに対応する前記閲覧率を算出することを特徴とする情報処理方法を提供する。
アイテム情報を提供する情報処理装置と通信可能な端末装置における情報処理方法であって、端末装置または端末装置を利用するユーザが一の利用主体であることを示す情報を含み、アイテム情報を要求する取得要求データを前記情報処理装置に送信する送信ステップと、前記情報処理装置から、前記取得要求データに対応する、アイテム情報とその順位との組み合せを複数受信する受信ステップと、前記受信した順位に基づいて表示確率が定められた確率モデルを用いて、前記受信した複数のアイテム情報の内から表示するアイテム情報を選択する表示アイテム選択ステップとを有することを特徴とする情報処理方法を提供する。
アイテム情報を提供する情報処理装置と通信可能な端末装置における情報処理方法であって、端末装置または端末装置を利用するユーザが一の利用主体であることを示す情報を含み、アイテム情報を要求する取得要求データを前記情報処理装置に送信する送信ステップと、前記情報処理装置から、前記取得要求データに対応する、アイテム情報とその順位との組み合せを複数受信する受信ステップと、前記受信したアイテム情報が、特定の表示順位となる確率が定められた確率モデルを用いて、前記受信した複数のアイテム情報それぞれに対して表示順位を算出する表示順位算出ステップとを有することを特徴とする情報処理方法を提供する。
アイテム情報を提供する情報処理装置と通信可能な端末装置における情報処理方法であって、端末装置または端末装置を利用するユーザが一の利用主体であることを示す情報を含み、アイテム情報を要求する取得要求データを前記情報処理装置に送信する送信ステップと、前記情報処理装置から、前記取得要求データに対応する、アイテム情報を複数受信する受信ステップと、前記受信した複数のアイテムそれぞれについて、表示順位を算出する表示順位算出ステップとを有し、前記送信ステップは、前記算出された表示順位と、前記受信したアイテムを識別する情報とを含む表示履歴データを前記情報処理装置に送信することを特徴とする情報処理方法を提供する。
アイテム情報を提供する情報処理装置と通信可能な端末装置における情報処理方法であって、端末装置または端末装置を利用するユーザが一の利用主体であることを示す情報を含み、アイテム情報を要求する取得要求データを前記情報処理装置に送信する送信ステップと、前記情報処理装置から、前記取得要求データに対応する、アイテム情報とその順位との組み合せを複数受信する受信ステップと、前記受信した複数のアイテムそれぞれについて、表示順位を算出する表示順位算出ステップと、前記受信したアイテム情報と、前記受信した順位と、前記算出した表示順位とを対応させて表示装置に表示させる制御ステップとを有することを特徴とする情報処理方法を提供する。
ユーザがアイテム情報をユーザが閲覧した度合いを示す閲覧率を算出し、ユーザまたはユーザの使用する端末装置である利用主体と、アイテム情報との組み合せに対応させて、２つ以上の閲覧率を集計した閲覧率集計値を算出する閲覧率集計値算出ステップと、一の利用主体に対して提供されるアイテム情報の推薦度合いを示す推薦値が高いほど、かつ、前記一の利用主体とアイテム情報との組み合せに対応する前記閲覧率集計値が低いほど、高い値となる優先度を算出し、前記優先度に基づいて前記一の利用主体に対して提供されるアイテム情報の順位を決定する順位決定ステップとをコンピュータに実行させ、前記閲覧率集計値算出ステップは、前記順位決定部で決定された、前記一の利用主体に対応する一のアイテム情報の順位に基づいて、前記一の利用主体と前記一のアイテム情報との組み合せに対応する前記閲覧率を算出することを特徴とする情報処理プログラムを提供する。
ユーザまたはユーザの使用する端末装置である利用主体を識別する情報と、端末装置に表示されたアイテム情報を識別する情報とを含む表示履歴を、端末装置から受信する表示履歴受信ステップと、所定のタイミングごとに、前記受信した表示履歴のうちの未処理の表示履歴、または表示履歴に係る時期が所定条件を満たす表示履歴を対象にして、ユーザがアイテム情報を閲覧した度合いを示す閲覧率を表示履歴ごとに算出し、利用主体とアイテム情報との組み合せに対応させて、２つ以上の閲覧率を集計した閲覧率集計値を算出する閲覧率集計値算出ステップと、一の利用主体に対して提供されるアイテム情報の推薦度合いを示す推薦値が高いほど、かつ、前記一の利用主体とアイテム情報との組み合せに対応する前記閲覧率集計値が低いほど、高い値となる優先度を算出し、前記優先度に基づいて前記一の利用主体に対して提供されるアイテム情報の順位を決定する順位決定ステップとをコンピュータに実行させることを特徴とする情報処理プログラムを提供する。
ユーザがアイテム情報をユーザが閲覧した度合いを示す閲覧率を算出し、ユーザまたはユーザの使用する端末装置である利用主体と、アイテム情報との組み合せに対応させて、２つ以上の閲覧率を集計した、アイテムの優先付けに用いることができる閲覧率集計値を算出する閲覧率集計値算出ステップと、一の利用主体に係る端末装置においてアイテム情報が表示された場合に、一のアイテム情報の表示に係る順位を取得する表示順位取得ステップとをコンピュータに実行させ、前記閲覧率集計値算出ステップは、前記表示順位取得ステップで取得された、前記一の利用主体に対応する一のアイテム情報の順位に基づいて、前記一の利用主体と前記一のアイテム情報との組み合せに対応する前記閲覧率を算出することを特徴とする情報処理プログラムを提供する。
アイテム情報を提供する情報処理装置と通信可能な端末装置のコンピュータに実行させる情報処理プログラムであって、端末装置または端末装置を利用するユーザが一の利用主体であることを示す情報を含み、アイテム情報を要求する取得要求データを前記情報処理装置に送信する送信ステップと、前記情報処理装置から、前記取得要求データに対応する、アイテム情報とその順位との組み合せを複数受信する受信ステップと、前記受信した順位に基づいて表示確率が定められた確率モデルを用いて、前記受信した複数のアイテム情報の内から表示するアイテム情報を選択する表示アイテム選択ステップとをコンピュータに実行させることを特徴とする情報処理プログラムを提供する。
アイテム情報を提供する情報処理装置と通信可能な端末装置のコンピュータに実行させる情報処理プログラムであって、端末装置または端末装置を利用するユーザが一の利用主体であることを示す情報を含み、アイテム情報を要求する取得要求データを前記情報処理装置に送信する送信ステップと、前記情報処理装置から、前記取得要求データに対応する、アイテム情報とその順位との組み合せを複数受信する受信ステップと、前記受信したアイテム情報が、特定の表示順位となる確率が定められた確率モデルを用いて、前記受信した複数のアイテム情報それぞれに対して表示順位を算出する表示順位算出ステップとをコンピュータに実行させることを特徴とする情報処理プログラムを提供する。
アイテム情報を提供する情報処理装置と通信可能な端末装置のコンピュータに実行させる情報処理プログラムであって、端末装置または端末装置を利用するユーザが一の利用主体であることを示す情報を含み、アイテム情報を要求する取得要求データを前記情報処理装置に送信する送信ステップと、前記情報処理装置から、前記取得要求データに対応する、アイテム情報を複数受信する受信ステップと、前記受信した複数のアイテムそれぞれについて、表示順位を算出する表示順位算出ステップとをコンピュータに実行させ、前記送信ステップは、前記算出された表示順位と、前記受信したアイテムを識別する情報とを含む表示履歴データを前記情報処理装置に送信することを特徴とする情報処理プログラムを提供する。
アイテム情報を提供する情報処理装置と通信可能な端末装置のコンピュータに実行させる情報処理プログラムであって、端末装置または端末装置を利用するユーザが一の利用主体であることを示す情報を含み、アイテム情報を要求する取得要求データを前記情報処理装置に送信する送信ステップと、前記情報処理装置から、前記取得要求データに対応する、アイテム情報とその順位との組み合せを複数受信する受信ステップと、前記受信した複数のアイテムそれぞれについて、表示順位を算出する表示順位算出ステップと、前記受信したアイテム情報と、前記受信した順位と、前記算出した表示順位とを対応させて表示装置に表示させる制御ステップとをコンピュータに実行させることを特徴とする情報処理プログラムを提供する。